(57)【要約】      （修正有）【課題】緩んだ骨盤底筋群を支えて骨盤底筋群の機能の一部を補助することで尿失禁の症状を軽減し、且つ、体形を補整することが可能なガードルを提供する。【解決手段】前身頃部１０と、後身頃部３０と、マチ部２０と、を備えるガードル１であって、マチ部２０は、前側に位置する前側マチ部２１と、後側に位置する後側マチ部２２と、を備え、互いに長さが異なる前側マチ部２１の前側縫合部と後側マチ部２２の後側縫合部とが縫合されており、前身頃部１０は、左右方向の中央に位置する中央部１１と、中央部１１の左右両側に位置する一対の側方部１２と、を備え、中央部１１及び側方部１２は、それぞれ表側布及び裏側布を備え、中央部１１の表側布は、縦地が上下方向であり、中央部１１の裏側布は、縦地が左右方向であり、側方部１２の表側布及び裏側布は、縦地が左右方向である。【選択図】図１
0003230368.tif 000002
【実用新案登録請求の範囲】
【請求項１】
前身頃部と、後身頃部と、マチ部と、を備えるガードルであって、
前記マチ部は、前側に位置する前側マチ部と、後側に位置する後側マチ部と、を備え、
互いに長さが異なる前記前側マチ部の前側縫合部と前記後側マチ部の後側縫合部とが縫合されており、
前記前身頃部は、左右方向の中央に位置する中央部と、前記中央部の左右両側に位置する一対の側方部と、を備え、
前記中央部及び前記側方部は、それぞれ表側布及び裏側布を備え、
前記中央部の前記表側布は、縦地が上下方向であり、
前記中央部の前記裏側布は、縦地が左右方向であり、
前記側方部の前記表側布及び前記裏側布は、縦地が左右方向である、ガードル。
【請求項２】
前記前側マチ部の前側縫合部と前記後側マチ部の後側縫合部とが縫合されて形成された縫合線の形状は、前方から後方に向けて漸次幅狭となるＶ字状である、請求項１に記載のガードル。
【請求項３】
前記前側マチ部の前側縫合部の長さは、前記後側マチ部の後側縫合部の長さの１．１〜１．５倍である、請求項１又は２に記載のガードル。
【請求項４】
前記Ｖ字状の頂点位置は、前記マチ部の前後方向における全長の３分の１の長さ分、前記マチ部の前端から離間した位置近傍であり、且つ、前記マチ部の左右中心線上にある、請求項２又は３に記載のガードル。
【請求項５】
前記縫合の前において、前記前側マチ部の前側縫合部と前記後側マチ部の後側縫合部とが前記Ｖ字状の頂点位置を挟んでなす角度は、４０°〜６０°である、請求項２〜４のいずれか一項に記載のガードル。
【考案の詳細な説明】
【技術分野】
【０００１】
本考案は、尿失禁の症状軽減及び体形補整が可能なガードルに関する。
【背景技術】
【０００２】
尿失禁とは、本人の意思によらず、尿をしたくない時又は場所で尿が漏れたり出たりしてしまうことをいう。尿失禁は、日常生活の中で不快や不自由をもたらし、生活の質を低下させる。症状が軽いものを含めると、日本では成人女性の約３割で尿失禁の経験があるといわれる。
【０００３】
女性の尿失禁の中で最も多いのが、腹圧性尿失禁である。腹圧性尿失禁は、咳又はくしゃみをする時、急に立ち上がる時、階段を下りる時など、腹圧がかかる動作を行う時に生じる。
【０００４】
腹圧性尿失禁の主な要因として、骨盤底筋群と呼ばれる股間から肛門にかけて広がっている筋肉が、加齢、肥満、出産等により緩むことが挙げられる。骨盤底筋群が緩むと、膀胱及び尿道が臀部の下部へ下がり気味になり、腹圧がかかった瞬間の尿道閉鎖が不良となって、尿失禁が起こる。
【０００５】
従来、女性の尿失禁対策として、吸水効果を有する素材を使用したパッド及び当該パッドを取り付けた股部を有する衣類が提案されている。下記特許文献１には、液体吸収性パッドが記載されている。
【先行技術文献】
【特許文献】
【０００６】
【特許文献１】特開２００４−２３００６４号公報
【考案の概要】
【考案が解決しようとする課題】
【０００７】
上述した従来のパッド及び衣類は、嵩張って衣類をすっきりと着こなせない場合や、使用される素材によっては下半身を動かす際に繊維の摩擦音が気になる場合があり、快適に装着できないことがある。
【０００８】
さらに、加齢、肥満、出産等により変化した下半身の体形を下着で補整したいという女性のニーズが存在する。
【０００９】
そこで、本考案は、緩んだ骨盤底筋群を支えて骨盤底筋群の機能の一部を補助することで尿失禁の症状を軽減し、且つ、体形を補整することが可能なガードルを提供することを主目的とする。
【課題を解決するための手段】
【００１０】
すなわち、本考案は、
前身頃部と、後身頃部と、マチ部と、を備えるガードルであって、
前記マチ部は、前側に位置する前側マチ部と、後側に位置する後側マチ部と、を備え、
互いに長さが異なる前記前側マチ部の前側縫合部と前記後側マチ部の後側縫合部とが縫合されており、
前記前身頃部は、左右方向の中央に位置する中央部と、前記中央部の左右両側に位置する一対の側方部と、を備え、
前記中央部及び前記側方部は、それぞれ表側布及び裏側布を備え、
前記中央部の前記表側布は、縦地が上下方向であり、
前記中央部の前記裏側布は、縦地が左右方向であり、
前記側方部の前記表側布及び前記裏側布は、縦地が左右方向である、ガードルを提供する。
前記前側マチ部の前側縫合部と前記後側マチ部の後側縫合部とが縫合されて形成された縫合線の形状は、前方から後方に向けて漸次幅狭となるＶ字状であってもよい。
前記前側マチ部の前側縫合部の長さは、前記後側マチ部の後側縫合部の長さの１．１〜１．５倍であってもよい。
前記Ｖ字状の頂点位置は、前記マチ部の前後方向における全長の３分の１の長さ分、前記マチ部の前端から離間した位置近傍であり、且つ、前記マチ部の左右中心線上にあってもよい。
前記縫合の前において、前記前側マチ部の前側縫合部と前記後側マチ部の後側縫合部とが前記Ｖ字状の頂点位置を挟んでなす角度は、４０°〜６０°であってもよい。
【００１１】
なお、本明細書において、前側、後側、上下方向及び左右方向とは、それぞれ、着用者が本考案のガードルを着用した状態における腹側、背側、上下方向及び左右方向を意味する。
【考案の効果】
【００１２】
本考案によれば、緩んだ骨盤底筋群を支えて骨盤底筋群の機能の一部を補助することで尿失禁の症状を軽減し、且つ、体形を補整することが可能なガードルを提供することができる。
【図面の簡単な説明】
【００１３】
【図１】本考案のガードルを示す斜視図である。
【図２】前身頃部、前側マチ部及び後側マチ部の縫製前の一例を示す図である。
【図３】図１に示す前側マチ部及び後側マチ部の、縫合前の状態を示す図である。
【図４】本考案のガードルを下方から見た図である。
【図５】本考案のガードルの着用状態を示す斜視図である。
【図６】本考案のガードルの一部を示す正面図である。
【図７】マチ部を備える従来のガードルの一部を示す正面図である。
【図８】防水布が装着されたマチ部を備える従来のガードルを下方から見た図である。
【図９】本考案のガードルの表側を、腹側を上にして平置きにした状態の平面図である。
【図１０】本考案のガードルの裏側を、腹側を上にして平置きした状態の平面図である。
【考案を実施するための形態】
【００１４】
以下、本考案を実施するための形態について説明する。
【００１５】
本考案のガードルは、伸縮性及び緊締力を有する生地によって形成される。伸縮性及び緊締力を有する生地として、女性用下着の生地として従来使用されているものを用いることができる。
【００１６】
図面を参照しながら、本考案のガードルの構成について説明する。まず骨盤底筋群を支えるための構成について説明し、次に体形を補整するための構成について説明する。
【００１７】
＜１．骨盤底筋群を支えるための構成＞
図１は、本考案のガードル１を示す斜視図である。図１に示されるように、ガードル１は、前身頃部１０と、後見頃部３０と、マチ部２０と、を備える。
【００１８】
前身頃部１０は、左右方向の中央に位置する中央部１１と、当該中央部１１の左右両側に位置する一対の側方部１２，１２と、を備える。前身頃部１０の構成については、後段で詳述する。
【００１９】
マチ部２０は、前側に位置する前側マチ部２１と、後側に位置する後側マチ部２２と、を備える。図１中の後側マチ部２２は、左右１対となった２枚の布部材により構成されているが、後側マチ部２２の構成はこれに限定されない。例えば、後側マチ部２２は、１枚の布部材で構成されてよく、２枚以上の布部材で構成されてもよい。前側マチ部２１を構成する布部材の数も、特に限定されず、１枚又は２枚以上でありうる。
【００２０】
マチ部２０は、前側マチ部２１及び後側マチ部２２以外に、さらに布部材を備えてもよい。例えば、マチ部２０は、前側マチ部２１及び後側マチ部２２の裏側（肌接触面側）にさらに布部材を備える多層構造を有してもよい。
【００２１】
図１において、縫合線２３は、前側マチ部２１の前側縫合部と後側マチ部２２の後側縫合部とが縫合されて形成されたものである。前側マチ部２１の前側縫合部と後側マチ部２２の後側縫合部とが縫合されて形成された縫合線２３の形状は、好ましくは、図１に示すような、前方から後方に向けて漸次幅狭となるＶ字状である。縫合線２３をこのようなＶ字状とすることで、縫合線２３付近に働く緊締力は、Ｖ字状の頂点付近で相対的に弱くなり、頂点付近から外側に向かって段階的に強くなる。すなわち、ガードル１の着用時において、股部の中心付近から外側に向かって緊締力が段階的に強くなる。これにより、骨盤底筋群を支える緊締力を確保しつつ、股部の中心付近の窮屈感を軽減することができる。
【００２２】
図２は、前身頃部１０、前側マチ部２１及び後側マチ部２２の縫合前の一例を示す図である。本考案のガードルを製造する際に、例えば、図２に示すパターンの布部材を用いることができる。
【００２３】
図３は、図１に示す前側マチ部２１及び後側マチ部２２の、縫合前の状態を示す図である。前側マチ部２１は、右前縫合部２１１Ｒと左前縫合部２１１Ｌとの端部同士が接したＶ字状の前側縫合部２１１を有する。後側マチ部２２は、右後縫合部２２１Ｒと左後縫合部２２１Ｌとの端部同士が接したＶ字状の後側縫合部２２１を有する。右前縫合部２１１Ｒは、右後縫合部２２１Ｒと縫合される。左前縫合部２１１Ｌは、左後縫合部２２１Ｌと縫合される。
【００２４】
縫合前において、前側マチ部２１の前側縫合部２１１と、後側マチ部２２の後側縫合部２２１とは、互いに長さが異なる。好ましくは、前側マチ部２１の前側縫合部２１１の長さは、後側マチ部２２の後側縫合部２２１の長さより長い。より好ましくは、前側マチ部２１の右前縫合部２１１Ｒは、後側マチ部２２の右後縫合部２２１Ｒより長く、前側マチ部２１の左前縫合部２１１Ｌは、後側マチ部２２の左後縫合部２２１Ｌより長い。このような長さにすることで、縫合線（図１中の縫合線２３）付近に発生する緊締力をより高めることができる。これにより、骨盤底筋群を下から支える力を増大させて骨盤底筋群の機能の一部をより効果的に補助し、尿失禁の症状軽減効果を高めることができる。
【００２５】
好ましくは、前側マチ部２１の前側縫合部２１１の長さは、後側マチ部２２の後側縫合部２２１の長さの１．１〜１．５倍である。より好ましくは、前側マチ部２１の右前縫合部２１１Ｒの長さは、後側マチ部２２の右後縫合部２２１Ｒの長さの１．１〜１．５倍であり、前側マチ部２１の左前縫合部２１１Ｌの長さは、後側マチ部２２の左後縫合部２２１Ｌの長さの１．１〜１．５倍である。このような長さとすることで、骨盤底筋群を支える緊締力をより高めつつ、ガードル着用時における股部の過度な窮屈感を回避することができる。
【００２６】
図３において、点Ｐは、前側マチ部２１の前側縫合部２１１と後側マチ部２２の後側縫合部２２１とが縫合されて形成されるＶ字状の縫合線の頂点位置を示す。マチ部２０の左右中心線を示す仮想線をＬ１とすると、Ｖ字状の頂点位置Ｐは、マチ部２０の左右中心線Ｌ１上にあることが好ましい。これにより、縫合線付近に発生する緊締力の左右のバランスがより良好になる。
【００２７】
図３において、角度θは、Ｖ字状の頂点位置Ｐを挟んで、前側マチ部２１の前側縫合部２１１と後側マチ部２２の後側縫合部２２１とがなす角度である。角度θは、好ましくは、４０°〜６０°である。これにより、骨盤底筋群をより効果的に支えることが可能な緊締力を発生させることができる。
【００２８】
図４は、本考案のガードル１を下方から見た図である。図４において、後側マチ部２２，２２に付した２本の矢印は、緊締力がかかる方向を示す。点Ｐは、図３と同様に、Ｖ字状の縫合線２３の頂点位置を示す。Ｌ２は、マチ部２０の前後方向における全長を示す。Ｖ字状の頂点位置Ｐは、好ましくは、マチ部２０の前後方向における全長の３分の１の長さ分、マチ部２０の前端から離間した位置近傍である。これにより、骨盤底筋群をより効果的に支えることが可能な緊締力を発生させることができる。
【００２９】
図５は、本考案のガードル１の着用状態を示す斜視図である。
【００３０】
図６は、本考案のガードル１の一部を示す正面図である。図７は、マチ部９２を備える従来のガードル９１の一部を示す正面図である。従来のマチ部９２は、骨盤底筋群を支える機能を有していない。図６に示す本考案のガードル１は、図７に示す従来のガードル９１と異なり、マチ部２０に緊締力が働いており、骨盤底筋群を下方から押し上げて支えることができる。
【００３１】
図８は、防水布９４が装着されたマチ部９５を備える従来のガードル９３を下方から見た図である。防水布９４が嵩張るため、ガードル９３を着用すると衣類をすっきりと着こなすことが難しい。
【００３２】
以上詳述したように、本考案のガードルは、従来のガードルと異なり、緩んだ骨盤底筋群を下方から支えて骨盤低筋群の機能の一部を補助することができるため尿失禁の症状を軽減することができる。
【００３３】
＜２．体形を補整するための構成＞
図９は、本考案のガードルの表側１ａを、腹側を上にして平置きにした状態の平面図である。図１０は、本考案のガードルの裏側１ｂを、腹側を上にして平置きした状態の平面図である。すなわち、図９は、本考案のガードルの前身頃部１０の外側を示しており、図１０は、本考案のガードルの前身頃部１０の肌接触面側を示している。
【００３４】
上記前身頃部１０は、左右方向の中央に位置する中央部１１と、当該中央部１１の左右両側に位置する一対の側方部１２，１２と、を備える。
【００３５】
側方部１２は、図１に示すような、ウエストから脚の付け根までを覆う布部材であってもよく、また、図９及び図１０に示すような、脚の付け根まで到達しない布部材であってもよい。
【００３６】
中央部１１及び側方部１２，１２は、いずれも、少なくとも２枚の積層された布から構成されている。具体的には、中央部１１は、表側布１１ａ（図９）及び裏側布１１ｂ（図１０）を備える。側方部１２は、表側布１２ａ（図９）及び裏側布１２ｂ（図１０）を備える。
【００３７】
前身頃部１０（中央部１１及び側方部１２，１２）に用いられる布は、縦糸と横糸とを組み合わせて作られた織物である。図９及び図１０において、矢印は、布の縦地の方向（縦糸の方向）を示す。通常、織物は、縦地の方向に伸びにくく、横地の方向（横糸の方向）に伸びやすい。
【００３８】
図９に示されるように、中央部１１の表側布１１ａは、縦地が上下方向である。一方、図１０に示されるように、中央部１１の裏側布１１ｂは、縦地が左右方向である。一般的に、ガードルの前身頃に用いられる布は、表側布も裏側布も縦地が上下方向（すなわち横糸が左右方向）であることが多い。これにより、左右方向に伸縮しやすくなり、ガードルの着脱がより容易になるからである。しかしながら、図１０に示す中央部１１の裏側布１１ｂは、縦地が左右方向である。裏側布１１ｂの縦地を左右方向にすることで、中央部１１の左右方向の伸びを抑えることができる。その結果、腹部を押さえる力を高めて、腹部の形状を効果的に補整することができる。
【００３９】
図９に示されるように、一対の側方部１２，１２の表側布１２ａ，１２ａは、縦地が左右方向である。図１０に示されるように、一対の側方部１２，１２の裏側布１２ｂ，１２ｂも、縦地が左右方向である。このように、表側布１２ａ，１２ａ及び裏側布１２ｂ，１２ｂの縦地を左右方向にすることで、側方部１２，１２の左右方向の伸びを抑えることができる。その結果、骨盤部を押さえる力を高めて、骨盤部の形状を効果的に補正することができる。
【符号の説明】
【００４０】
１  ガードル
１０  前身頃部
１１  中央部
１２  側方部
２０  マチ部
２１  前側マチ部
２２  後側マチ部
２３  縫合線
３０  後身頃部
２１１  前側縫合部
２１１Ｒ  右前縫合部
２１１Ｌ  左前縫合部
２２１  後側縫合部
２２１Ｒ  右後縫合部
２２１Ｌ  左後縫合部
【図１】
0003230368.tif 000003
【図２】
0003230368.tif 000004
【図３】
0003230368.tif 000005
【図４】
0003230368.tif 000006
【図５】
0003230368.tif 000007
【図６】
0003230368.tif 000008
【図７】
0003230368.tif 000009
【図８】
0003230368.tif 000010
【図９】
0003230368.tif 000011
【図１０】
0003230368.tif 000012
【手続補正書】
【提出日】令和2年11月16日(2020.11.16)
【手続補正１】
【補正対象書類名】実用新案登録請求の範囲
【補正対象項目名】全文
【補正方法】変更
【補正の内容】
【実用新案登録請求の範囲】
【請求項１】
前身頃部と、後身頃部と、マチ部と、を備えるガードルであって、
前記マチ部は、前側に位置する前側マチ部と、後側に位置する後側マチ部と、を備え、
互いに長さが異なる前記前側マチ部の前側縫合部と前記後側マチ部の後側縫合部とが縫合されており、
前記前身頃部は、左右方向の中央に位置する中央部と、前記中央部の左右両側に位置する一対の側方部と、を備え、
前記中央部及び前記側方部は、それぞれ表側布及び裏側布を備え、
前記中央部の前記表側布は、縦地が上下方向であり、
前記中央部の前記裏側布は、縦地が左右方向であり、
前記側方部の前記表側布及び前記裏側布は、縦地が左右方向である、ガードル。
【請求項２】
前記前側マチ部の前側縫合部と前記後側マチ部の後側縫合部とが縫合されて形成された縫合線の形状は、前方から後方に向けて漸次幅狭となるＶ字状である、請求項１に記載のガードル。
【請求項３】
前記前側マチ部の前側縫合部の長さは、前記後側マチ部の後側縫合部の長さの１．１〜１．５倍である、請求項１又は２に記載のガードル。
【請求項４】
前記Ｖ字状の頂点位置は、前記マチ部の前後方向における全長の３分の１の長さ分、前記マチ部の前端から離間した位置近傍であり、且つ、前記マチ部の左右中心線上にある、請求項２に記載のガードル。
【請求項５】
前記縫合の前において、前記前側マチ部の前側縫合部と前記後側マチ部の後側縫合部とが前記Ｖ字状の頂点位置を挟んでなす角度は、４０°〜６０°である、請求項２に記載のガードル。